(57)【要約】【課題】本発明は建物の解体機で上部階の床面に形成した通過孔を自力で通過して上部階へ移動することができ、かつ建物の解体を乗せた状態でも走行することができる建物の解体機の移動装置を得るにある。【解決手段】建物の解体機を支持することができる支持台と、この支持台の両側部より外方へ移動可能に取付けられた該支持台を移動させる左右の無限軌道と、この無限軌道を駆動させる走行装置と、支持台の両側部に無限軌道に接触することなく取付けられた前後端部が前記無限軌道の前後端部よりも外方に位置する左右の脚支持体と、この左右の脚支持体の前後端部に不使用時には該左右の脚支持体の上部に位置でき使用時には立設するように回動できるように枢支された収縮状態の下端部は前記無限軌道の下端部よりも上部に位置する前後左右の伸縮脚と、この前後左右の伸縮脚を収納状態や立設状態にそれぞれ回動させる前後左右の伸縮脚回動装置とで建物の解体機の移動装置を構成している。【選択図】　図１
2004017793.tif 000002
【特許請求の範囲】
【請求項１】
建物の解体機を支持することができる支持台と、この支持台の両側部より複数個の油圧シリンダー等によって外方へ移動可能に取付けられた、該支持台を移動させる左右の無限軌道と、この無限軌道を駆動させる走行装置と、前記支持台の両側部に前記無限軌道に接触することなく取付けられた、前後端部が前記無限軌道の前後端部よりも外方に位置する左右の脚支持体と、この左右の脚支持体の前後端部に、不使用時には該左右の脚支持体の上部に位置でき、使用時には立設するように回動できるように枢支された、収縮状態の下端部は前記無限軌道の下端部よりも上部に位置する油圧シリンダー等を用いた前後左右の伸縮脚と、この前後左右の伸縮脚を収納状態や立設状態にそれぞれ回動させる油圧シリンダー等を用いた前後左右の伸縮脚回動装置とからなることを特徴とする建物の解体機の移動装置。
【請求項２】
建物の解体機を支持することができる支持台と、この支持台の両側部より複数個の油圧シリンダー等によって外方へ移動可能に取付けられた、該支持台を移動させる左右の無限軌道と、この無限軌道を駆動させる走行装置と、前記支持台の両側部に前記無限軌道に接触することなく複数個の油圧シリンダー等によって外方へ移動可能に取付けられた、前後端部が前記無限軌道の前後端部よりも外方に位置する左右の脚支持体と、この左右の脚支持体の前後端部に、不使用時には該左右の脚支持体の上部に位置でき、使用時には立設するように回動できるように枢支された、収縮状態の下端部は前記無限軌道の下端部よりも上部に位置する油圧シリンダー等を用いた前後左右の伸縮脚と、この前後左右の伸縮脚を収納状態や立設状態にそれぞれ回動させる油圧シリンダー等を用いた前後左右の伸縮脚回動装置と、前記前後左右の伸縮脚の下端部にそれぞれ不使用時の収納時には、該前後左右の伸縮脚に沿うように位置し、使用時には先端部が外方へ突出するように回動できるように枢支された前後左右の脚片と、この前後左右の脚片をそれぞれ収納、使用状態に回動させる油圧シリンダー等を用いた前後左右の脚片回動装置とからなることを特徴とする建物の解体機の移動装置。
【請求項３】
建物の解体機を支持することができる支持台と、この支持台の両側部より複数個の油圧シリンダー等によって外方へ移動可能に取付けられた、該支持台を移動させる左右の無限軌道と、この無限軌道を駆動させる走行装置と、前記支持台の両側部に前記無限軌道に接触することなく取付けられた、前後端部が前記無限軌道の前後端部よりも外方に位置する左右の脚支持体と、この左右の脚支持体の前後端部に立設状態に取付けられた収納状態の下端部は前記無限軌道の下端部よりも上部に位置する油圧シリンダー等を用いた前後左右の伸縮脚とからなることを特徴とする建物の解体機の移動装置。
【請求項４】
建物の解体機を支持することができる支持台と、この支持台の両側部より複数個の油圧シリンダー等によって外方へ移動可能に取付けられた、該支持台を移動させる左右の無限軌道と、この無限軌道を駆動させる走行装置と、前記支持台の両側部に前記無限軌道に接触することなく複数個の油圧シリンダー等によって外方へ移動可能に取付けられた、前後端部が前記無限軌道の前後端部よりも外方に位置する左右の脚支持体と、この左右の脚支持体の前後端部に立設状態に取付けられた収納状態の下端部は前記無限軌道の下端部よりも上部に位置する油圧シリンダー等を用いた前後左右の伸縮脚とからなることを特徴とする建物の解体機の移動装置。
【発明の詳細な説明】
【０００１】
【発明の属する技術分野】
本発明はビル等の建物を解体する場合に、バックホーや専用の建物の解体機で上部階の床面に通過孔を形成しながら、順次上部階へ移動させる建物の解体機の移動装置に関する。
【０００２】
【従来の技術】
ビル等の建物を解体する場合に、ブレーカや挟着破砕機を駆動アームの先端部に取付けられたバックホー等の建物の解体機で、上部階の床面に該建物の解体機を通過させることができる通過孔を形成し、該通過孔を通過して建物の解体機を上部階へ移動させるために、油圧シリンダーを用いた伸縮台を用いる方法が本願出願人から提案されている。
【０００３】
【発明が解決しようとする課題】
本願出願人が先に提案した油圧シリンダーを用いた伸縮台を使用する方法でも建物の解体機を順次上部階へ移動させることができるが、建物の解体機が上部階へ移動した後、伸縮台を上部階へ移動させる作業に手数がかかり、面倒であるという欠点があった。
【０００４】
本発明は以上のような従来の欠点に鑑み、建物の解体機で上部階の床面に形成した通過孔を通過させて押し上げることができるとともに、該通過孔を自力で通過して上部階へ移動することができ、かつ建物の解体を乗せた状態でも走行することができる建物の解体機の移動装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【発明を解決するための手段】
上記目的を達成するために、本発明は建物の解体機を支持することができる支持台と、この支持台の両側部より複数個の油圧シリンダー等によって外方へ移動可能に取付けられた、該支持台を移動させる左右の無限軌道と、この無限軌道を駆動させる走行装置と、前記支持台の両側部に前記無限軌道に接触することなく取付けられた、前後端部が前記無限軌道の前後端部よりも外方に位置する左右の脚支持体と、この左右の脚支持体の前後端部に、不使用時には該左右の脚支持体の上部に位置でき、使用時には立設するように回動できるように枢支された、収縮状態の下端部は前記無限軌道の下端部よりも上部に位置する油圧シリンダー等を用いた前後左右の伸縮脚と、この前後左右の伸縮脚を収納状態や立設状態にそれぞれ回動させる油圧シリンダー等を用いた前後左右の伸縮脚回動装置とで建物の解体機の移動装置を構成している。
【０００７】
【発明の実施の形態】
以下、図面に示す実施の形態により、本発明を詳細に説明する。
【０００８】
図１ないし図９に示す本発明の第１の実施の形態において、１はバックホー等の回動アーム２の先端部にブレーカや挟着破砕機３を取付けた建物の解体機４を乗せて走行するとともに、該建物の解体機４を上部階への移動および自力での上部階への移動を行なうことができる本発明の建物の解体機の移動装置で、この建物の解体機の移動装置１は前記建物の解体機４を走行させて上部に乗るように支持することができる支持台５と、この支持台５の両側部より複数個の油圧シリンダー６によって外方へ移動可能に取付けられた、該支持台５を移動させる左右の無限軌道７、７と、この無限軌道７、７を油圧モ−タ８、８で駆動させる走行装置９と、前記支持台５の両側部より複数個の油圧シリンダー１０によって前記無限軌道７、７に接触することなく外方へ移動可能に取付けられた前後端部が前記無限軌道７、７の前後端部よりも外方に位置する左右の脚支持体１１、１１と、この左右の脚支持体１１、１１の前後端部に、不使用時には該左右の脚支持体１１、１１の上部に位置でき、使用時には立設するように回動できるように取付けられた収納状態の下端部は前記無限軌道７、７の下端部よりも上部に位置する油圧シリンダ−１２、１２、１２、１２を用いた前後左右の伸縮脚１３、１３、１３、１３と、この前後左右の伸縮脚１３、１３、１３、１３を収納状態や立設状態にそれぞれ回動させる油圧シリンダ−１４、１４、１４、１４を用いた前後左右の伸縮脚回動装置１５、１５、１５、１５とで構成されている。
【０００９】
前記支持台５は鋼材を用いて形成したフレ−ム１６と、このフレ−ム１６の上面を覆うカバ−１７と、前記フレ−ム１６の前後端部に前記建物の解体機４が走行しながら上部にスム−ズに乗り上がれるように形成された傾斜面１８、１８とで構成されている。
【００１０】
前記左右の無限軌道７、７は前記支持台５の中央部よりも前後部寄りの部位に作動杆６ａ、６ａ、６ａ、６ａが左右の外方へ突出するように固定された２対の油圧シリンダ−６、６、６、６と、この２対の油圧シリンダ−６、６、６、６の先端部に固定された無限軌道支持体１９、１９と、この無限軌道支持体１９、１９の前後部に回転可能に取付けられたスプロケット２０、２０、２０、２０、この前後部のスプロケット２０、２０、２０、２０に掛け渡された無限軌道本体２１、２１と、前記前後部のいずれか一方あるいは両方、本発明の実施の形態では前方のスプロケット２０、２０の軸２０ａ、２０ａに取付けられた油圧モ−タ８、８とで構成されている。
【００１１】
前記走行装置９は前記支持台５に取付けられたエンジン２２、このエンジン２２の駆動によって駆動される油圧ポンプ２３、この油圧ポンプ２３へ油圧を供給する油圧タンク２４、前記油圧ポンプ２３の油圧を前記油圧モ−タ８、８に供給する油圧供給ホ−ス２５、２５とで構成されている。
【００１２】
前記左右の脚支持体１１、１１は前記左右の無限軌道７、７の前後端部よりも外方に位置する前記支持台５の前後部に作動杆１０ａ、１０ａ、１０ａ、１０ａが左右の外方へ突出するように固定された２対の油圧シリンダ−１０、１０、１０、１０と、この２対の油圧シリンダ−１０、１０、１０、１０の作動杆１０ａ、１０ａ、１０ａ、１０ａの先端部に支柱部分１１ａ、１１ａが固定されたチャンネル状の左右の脚支持体本体２６、２６とで構成されている。
【００１３】
前記前後左右の伸縮脚１３、１３、１３、１３は複数段に伸縮する油圧シリンダ−１２、１２、１２、１２と、この油圧シリンダ−１２、１２、１２、１２の先端部の作動杆１２ａ、１２ａ、１２ａ、１２ａの先端部に固定された固定脚片２７、２７、２７、２７とで構成されている。
【００１４】
前記前後左右の伸縮脚回動装置１５、１５、１５、１５は前記前後左右の伸縮脚１３、１３、１３、１３の油圧シリンダ−１２、１２、１２、１２のシリンダ−１２ｂ、１２ｂ、１２ｂ、１２ｂの先端部寄りの部位に固定され、前記左右の脚支持体本体２６、２６の前後端部に枢支ピン２８、２８、２８、２８で回動可能に枢支された取付け金具２９、２９、２９、２９と、一端部が前記左右の脚支持体本体２６、２６の中央部寄りの部位に枢支ピン３０、３０、３０、３０で枢支され、他端部が前記取付け金具２９、２９、２９、２９に枢支ピン３１、３１、３１、３１で枢支された油圧シリンダ−１４、１４、１４、１４とで構成されている。
【００１５】
上記構成の建物の解体機の移動装置１は支持台５上に建物の解体機４を乗せ、解体する建物３３の入口より内部に入り込み、建物の解体機４で上部階の床面を該建物の解体機４および建物の解体機の移動装置１が通過できる大きさの通過孔３４を形成する。
【００１６】
しかる後、前後左右の伸縮脚回動装置１５、１５、１５、１５を作動させて、前後左右の伸縮脚１３、１３、１３、１３を立設状態に位置させた後、前後左右の伸縮脚１３、１３、１３、１３を伸長させて、支持台５に取付けられている左右の無限軌道７、７の下端部が上部階の床面よりも上部に位置する所まで上昇させる。
【００１７】
次に、左右の無限軌道７、７を２対の油圧シリンダ−６、６、６、６を伸長させて、無限軌道支持体１９、１９を外方へ突出させて、通過孔３４の外周部の床面上に左右の無限軌道７、７が支持されるように位置させる。
【００１８】
しかる後、前後左右の伸縮脚１３、１３、１３、１３を収縮させ、左右の無限軌道７、７を上部階の床面に支持させるとともに、下端部が上部階の床面よりも上部に位置するように収縮させる。
【００１９】
この状態で、走行装置９によって建物の解体機４を乗せた、建物の解体機の移動装置１を通過孔３４以外の部位へ移動させた後、前述と同様な方法で、上部階の床面に通過孔３４を形成して、建物の解体機４を乗せた建物の解体機の移動装置１を上部階へ移動させ、最上階まで移動させた後、最上部の躯体を建物の解体機４で解体しながら、順次下方へ移動しながら建物を解体する。
【００２０】
【発明の異なる実施の形態】
次に、図１０ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００２１】
図１０ないし図１２に示す本発明の第２の実施の形態において、前記本発明の第１の実施の形態と主に異なる点は、前後左右の伸縮脚１３、１３、１３、１３の下端部に、不使用時には該前後左右の伸縮脚１３、１３、１３、１３に沿うように収納でき、使用時には先端部が外方へ突出する前後左右の脚片３５、３５、３５、３５と、この前後左右の脚片３５、３５、３５、３５をそれぞれ収納、使用状態に回動させる油圧シリンダ−３６、３６、３６、３６を用いた前後左右の脚片回動装置３７、３７、３７、３７を用いた点で、このように構成された建物の解体機の移動装置１Ａにしても、前記本発明の第１の実施の形態と同様な作用効果が得られるとともに、下部階に形成した通過孔３４部位とほぼ同じ部位の上部階の床面に通過孔３４を形成しながら、建物の解体機４を乗せた建物の解体機の移動装置１Ａを前後左右の脚片３５、３５、３５、３５を前後左右の脚片回動装置３７、３７、３７、３７の作動および左右の無限軌道７、７を出没させる２対の油圧シリンダ−６、６、６、６を作動させて、前後左右の伸縮脚１３、１３、１３、１３を支持する左右の脚支持体１１、１１を左右方向に出没させることにより、ほぼ同じ位置での上部階への移動を行なうことができる。
【００２２】
図１３ないし図１５に示す本発明の第３の実施の形態において、前記本発明の第２の実施の形態と主に異なる点は、支持台５の前後左右部位あるいは支持台５の両側部に左右の脚支持体１１、１１を固定的に取付けるとともに、必要時に先端部を外方に突出させることができる回動可能な突片３８、３８、３８、３８を有する前後左右の脚片３５Ａ、３５Ａ、３５Ａ、３５Ａを用いた点で、このように構成した建物の解体機の移動装置１Ｂにしても、前記本発明の第２の実施の形態と同様な作用効果が得られる。
【００２３】
図１６ないし図１８に示す本発明の第４の実施の形態において、前記本発明の第２の実施の形態と主に異なる点は、左右の脚支持体１１、１１の前後端部に固定的に前後左右の伸縮脚１３、１３、１３、１３を取付けた点で、このように構成された建物の解体機の移動装置１Ｃにしても、前記本発明の第２の実施の形態と同様な作用効果が得られる。
【００２４】
図１９および図２０に示す本発明の第５の実施の形態において、前記本発明の第３の実施の形態と主に異なる点は、左右の脚支持体１１、１１の前後端部に固定的に前後左右の伸縮脚１３、１３、１３、１３を取付けた点で、このように構成された建物の解体機の移動装置１Ｄにしても、前記本発明の第３の実施の形態と同様な作用効果が得られる。
【００２５】
図２１ないし図２３に示す本発明の第６の実施の形態において、前記本発明の第５の実施の形態と主に異なる点は、前後左右の伸縮脚１３、１３、１３、１３の下端部の作動杆１３ａ、１３ａ、１３ａ、１３ａの前部および後部作動杆１３ａ、１３ａ、１３ａ、１３ａの下部に取付けられた前後の伸縮脚片支持部材３９、３９と、この前後の伸縮脚片支持部材３９、３９の両端部より外方に突出する作動杆が前後左右の伸縮片本体４０、４０、４０、４０となる油圧シリンダ−４１、４１、４１、４１と、この前後左右の伸縮片本体４０、４０、４０、４０の先端部に枢支ピン４２、４２、４２、４２で自重により回動可能に取付けられた支持片４３、４３、４３、４３とを用いた点で、このように構成された建物の解体機の移動装置１Ｅにしても、前記本発明の第５の実施の形態と同様な作用効果が得られる。
【００２６】
なお、前記本発明の各実施の形態では支持台５にバックホ−の回動ア−ム２の先端部にブレ−カや挟着破砕機３を取付けた建物の解体機４を乗せるものについて説明したが、本発明はこれに限らず、建物の解体のために作られた専用の建物の解体機を支持台５に乗せてもよい。
また、油圧シリンダ−６、１０、１２、１４、３２、３６を用いるものについて説明したが、これに限らず、エア−シリンダ−を用いてもよい。
【００２７】
【発明の効果】
以上の説明から明らかなように、本発明にあっては次に列挙する効果が得られる。
【００２８】
（１）建物の解体機を支持することができる支持台と、この支持台の両側部より複数個の油圧シリンダー等によって外方へ移動可能に取付けられた、該支持台を移動させる左右の無限軌道と、この無限軌道を駆動させる走行装置と、前記支持台の両側部に前記無限軌道に接触することなく取付けられた、前後端部が前記無限軌道の前後端部よりも外方に位置する左右の脚支持体と、この左右の脚支持体の前後端部に、不使用時には該左右の脚支持体の上部に位置でき、使用時には立設するように回動できるように枢支された、収縮状態の下端部は前記無限軌道の下端部よりも上部に位置する油圧シリンダー等を用いた前後左右の伸縮脚と、この前後左右の伸縮脚を収納状態や立設状態にそれぞれ回動させる油圧シリンダー等を用いた前後左右の伸縮脚回動装置とで構成されているので、支持台に建物の解体機を乗せて走行することができる。
したがって、解体作業現場へ容易に移動することができ、効率よく建物の解体作業を行なうことができる。
【００２９】
（２）前記（１）によって、支持台に乗せた建物の解体機で上部階の床面に形成した通過孔を前後左右の伸縮脚を伸長させることにより、通過して建物の解体機を移動させることができる。
したがって、建物の解体機の上部階への移動を容易に行なうことができる。
【００３０】
（３）前記（１）によって、前後左右の伸縮脚の伸縮および左右の無限軌道の左右方向に伸縮させることにより、容易に上部階への移動を自力で行なうことができる。
したがって、上部階への移動を楽に行なうことができる。
【００３１】
（４）前記（１）によって、前後左右の伸縮脚を不使用時に収納状態にすることができる。
したがって、前後左右の伸縮脚が不使用時にじゃまになるのを効率よく阻止することができる。
【００３２】
（５）請求項２も前記（１）〜（４）と同様な効果が得られるとともに、下部階の通過孔とほぼ同じ位置の上部階の床面に通過孔を形成しながら、上部へ自力で移動することができる。
したがって、上部階へ押し上げた後、移動したり、通過孔に支持板を設置することなく、効率よく上部階へ移動することができる。
【００３３】
（６）請求項３、４も前記（１）〜（３）と同様な効果が得られる
【図面の簡単な説明】
【図１】本発明の第１の実施の形態の正面図。
【図２】本発明の第１の実施の形態の平面図。
【図３】本発明の第１の実施の形態の側面図。
【図４】本発明の第１の実施の形態の建物の解体機を乗せた状態の側面図。
【図５】本発明の第１の実施の形態の建物の解体機を乗せた状態の平面図。
【図６】本発明の第１の実施の形態の通過孔を形成する状態の説明図。
【図７】本発明の第１の実施の形態の通過孔を通過させた説明図。
【図８】左右の無限軌道を外方へ突出させた説明図。
【図９】前後左右の伸縮脚を収縮させた状態の説明図。
【図１０】本発明の第２の実施の形態の側面図。
【図１１】本発明の第２の実施の形態の平面図。
【図１２】本発明の第２の実施の形態の通過孔を通過させた説明図。
【図１３】本発明の第３の実施の形態の側面図。
【図１４】本発明の第３の実施の形態の平面図。
【図１５】本発明の第３の実施の形態の通過孔を通過させた説明図。
【図１６】本発明の第４の実施の形態の側面図。
【図１７】本発明の第４の実施の形態の平面図。
【図１８】本発明の第４の実施の形態の正面図。
【図１９】本発明の第５の実施の形態の正面図。
【図２０】本発明の第５の実施の形態の平面図。
【図２１】本発明の第６の実施の形態の側面図。
【図２２】本発明の第６の実施の形態の平面図。
【図２３】本発明の第６の実施の形態の正面図。
【符号の説明】
１、１Ａ、〜１Ｅ：建物の解体機の移動装置、
２：回動アーム、　　　　３：ブレーカや挟着破砕機、
４：建物の解体機、　　　５：支持台、
６：油圧シリンダー、　　７：無限軌道、
８：油圧モータ、　　　　９：走行装置、
１０：油圧シリンダー、　１１：左右の脚支持体、
１２：油圧シリンダー、　１３：前後左右の伸縮脚、
１４：油圧シリンダー、
１５：前後左右の伸縮脚回動装置、
１６：フレーム、　　　　１７：カバー、
１８：傾斜面、　　　　　１９：無限軌道支持体、
２０：スプロケット、　　２１：無限軌道本体、
２２：エンジン、　　　　２３：油圧ポンプ、
２４：油圧タンク、　　　２５：油圧供給ホース、
２６：左右の脚支持体本体、
２７：固定脚片、　　　　２８：枢支ピン、
２９：取付け金具、　　　３０：枢支ピン、
３１：枢支ピン、　　　　３３：解体する建物、
３４：通過孔、
３５、３５Ａ：前後左右の脚片、
３６：油圧シリンダー、
３７：前後左右の脚片回動装置、
３９：伸縮脚片支持部材、４０：伸縮片本体、
４１：油圧シリンダー、　４２：枢支ピン、
４３：支持片。
【図１】
2004017793.tif 000003
【図２】
2004017793.tif 000004
【図３】
2004017793.tif 000005
【図４】
2004017793.tif 000006
【図５】
2004017793.tif 000007
【図６】
2004017793.tif 000008
【図７】
2004017793.tif 000009
【図８】
2004017793.tif 000010
【図９】
2004017793.tif 000011
【図１０】
2004017793.tif 000012
【図１１】
2004017793.tif 000013
【図１２】
2004017793.tif 000014
【図１３】
2004017793.tif 000015
【図１４】
2004017793.tif 000016
【図１５】
2004017793.tif 000017
【図１６】
2004017793.tif 000018
【図１７】
2004017793.tif 000019
【図１８】
2004017793.tif 000020
【図１９】
2004017793.tif 000021
【図２０】
2004017793.tif 000022
【図２１】
2004017793.tif 000023
【図２２】
2004017793.tif 000024
【図２３】
2004017793.tif 000025